(57)【要約】【課題】ユーザにとって良好な音声を再生するコンテンツファイルであって、再生装置の音声出力端子に接続される付属装置をターゲットとしたデータが組み込まれたコンテンツファイルが配信される配信システムを提供すること。【解決手段】サーバは、非可聴音として符号化されたデータを含むコンテンツファイルを記憶し、当該コンテンツファイルを、ネットワークを介してスマートフォンへ送信する。スマートフォンは、サーバよりコンテンツファイルを受信して再生し、その音声信号を出力端子より出力して付属装置へ入力させる。付属装置は、音声信号から非可聴音を抽出して得られるデータに基づきＬＥＤを発光させる。【選択図】図１
2014102623.tif 000002
【特許請求の範囲】
【請求項１】
コンテンツファイルを記憶するサーバと、音声を含むコンテンツファイルを再生可能な再生装置と、音声出力機能を有する端子に接続される付属装置と、を備えるコンテンツファイル配信システムにおいて、
前記サーバは、
前記コンテンツファイルであって、非可聴音として符号化されたデータを含むコンテンツファイルを記憶する記憶手段と、
前記記憶手段に記憶されている前記コンテンツファイルを、ネットワークを介して前記再生装置へ送信する送信手段と、
を備え、
前記再生装置は、
前記サーバより送信された前記コンテンツファイルを、前記ネットワークを介して受信する受信手段と、
前記受信手段により受信された前記コンテンツファイルを再生する再生手段と、
前記再生手段により再生された音声信号を出力するための出力端子と、
を備え、
前記付属装置は、
前記再生手段の前記端子に接続して前記音声信号を入力する入力端子と、
前記入力端子により入力された前記音声信号に含まれる非可聴音からデータを得るデータ取得手段と、
前記データ取得手段により得られたデータに基づき所定の処理を実行する処理実行手段と、
を備えることを特徴とするコンテンツファイル配信システム。
【請求項２】
請求項１に記載のコンテンツファイル配信システムにおいて、
前記コンテンツファイルは、可聴音である着信音として再生される音声ファイルであること、
を特徴とするコンテンツファイル配信システム。
【請求項３】
請求項１又は請求項２に記載のコンテンツファイル配信システムにおいて、
前記付属装置の前記所定の処理は、前記付属装置に設けられた発光手段を、前記データに基づいて発光させる処理であること、
を特徴とするコンテンツファイル配信システム。
【請求項４】
請求項３に記載のコンテンツファイル配信システムにおいて、
前記コンテンツファイルには、前記データとしてＩＤが含まれており、
前記付属装置は、前記発行手段の発光パターン情報とＩＤとが対応付けられた対応情報を記憶する記憶手段をさらに備え、
前記付属装置の前記処理実行手段は、前記データ取得手段により得られたデータに含まれるＩＤに対応する発光パターン情報を前記記憶手段が記憶する対応情報を参照して特定し、その特定した発光パターン情報に基づいて、前記発行手段を発光させること、
を特徴とするコンテンツファイル配信システム。
【請求項５】
請求項１〜４のいずれかに記載のコンテンツファイル配信システムにおいて、
前記コンテンツファイルの再生時の再生音の先頭部分には、前記データを含む非可聴音は存在するが可聴音は存在しない期間が存在し、
前記再生装置の出力端子には、前記再生装置に設けられたスピーカに前記音声信号に基づく再生音を出力させるか、前記出力端子に接続された装置に前記音声信号を出力させるかを切り替えるための入力を受け付ける切替受付手段が設けられており、
前記付属装置は、前記入力端子より入力された前記音声信号において前記期間が終了するとき又は前記期間が終了する前に、前記出力端子に接続された装置に前記音声信号を出力させる状態から、前記スピーカに前記音声信号に基づく再生音を出力させる状態に切り替えるように前記切替受付手段を切り替えさせる切替制御手段をさらに備えること、
を特徴とするコンテンツファイル配信システム。
【請求項６】
請求項１〜５のいずれかに記載のコンテンツファイル配信システムにおける前記付属装置の前記各手段を備えることを特徴とする付属装置。
【請求項７】
請求項１〜５のいずれかに記載のコンテンツファイル配信システムにおける前記サーバの前記各手段を備えることを特徴とするサーバ。
【発明の詳細な説明】
【技術分野】
【０００１】
本発明は、音楽ファイル、動画ファイル等のコンテンツファイルを配信する配信システム等に関する。
【背景技術】
【０００２】
従来、音楽ファイル、動画ファイル等のコンテンツファイルを配信する配信システムとして、次のような配信システムが知られている。すなわち、サーバの記憶部に蓄積されたコンテンツファイルが、再生装置からの要求に基づいて記憶部から読み出され、インターネット等の広域ネットワークを介して再生装置に送信される配信システムである（例えば、特許文献１参照）。
【０００３】
このような配信システムに用いられる再生装置には、音声信号を出力する機能を有する端子が設けられていることがあり、その端子に接続される様々な付属装置が知られている。例えば、外部スピーカ、イヤフォン、トランスミッター、各種の演出装置等が一例として挙げられる。
【先行技術文献】
【特許文献】
【０００４】
【特許文献１】特開２００２−１９７０６９号公報
【発明の概要】
【発明が解決しようとする課題】
【０００５】
ところで、上記の配信システムで配信されるコンテンツファイルは、再生装置がターゲットであるものであるため、音声出力端子に接続される付属装置がターゲットであるデータがコンテンツファイルに含まれていることはない。付属装置は再生装置におけるコンテンツファイルの再生時に必須のものではなく任意のものであるから、そのような任意のものをターゲットとしたデータをコンテンツファイルに含める発想が無かった。また、仮にそのような発想に至ったとしても、音声出力端子に接続される付属装置をターゲットにした情報をコンテンツファイルに含めてしまうと、再生される音声にノイズ等の不快な音が含まれてしまうといった影響が出てしまい、ユーザにとって良好な音声を再生するコンテンツファイルではなくなってしまう。
【０００６】
本発明の目的は、ユーザにとって良好な音声を再生するコンテンツファイルであって、再生装置の音声出力端子に接続される付属装置をターゲットとしたデータが組み込まれたコンテンツファイルが配信される配信システムを提供することである。
【課題を解決するための手段】
【０００７】
（１）第１の発明
第１の発明のコンテンツファイル配信システムは、コンテンツファイルを記憶するサーバと、音声を含むコンテンツファイルを再生可能な再生装置と、音声出力機能を有する端子に接続される付属装置と、を備える。
【０００８】
サーバは、非可聴音として符号化されたデータを含むコンテンツファイルを記憶する記憶手段と、記憶手段に記憶されているコンテンツファイルを、ネットワークを介して再生装置へ送信する送信手段と、を備える。
【０００９】
再生装置は、サーバより送信されたコンテンツファイルを、ネットワークを介して受信する受信手段と、受信手段により受信されたコンテンツファイルを再生する再生手段と、再生手段により再生された音声信号を出力するための出力端子と、を備える。
【００１０】
付属装置は、再生手段の前記端子に接続して前記音声信号を入力する入力端子と、入力端子により入力された音声信号に含まれる非可聴音からデータを得るデータ取得手段と、データ取得手段により得られたデータに基づき所定の処理を実行する処理実行手段と、を備える。
【００１１】
このようなコンテンツファイル配信システムによれば、再生装置のユーザにとって良好な音の再生が行われるコンテンツファイルが配信されながら、再生装置の音声出力端子に接続された付属装置へ、当該付属装置をターゲットとしたデータを入力させることができる。しかも、再生装置及び付属装置に、付属装置へデータを入力させるための端子を別途に設ける必要もない。なお、コンテンツファイルはサーバから送信されたものであるため、サーバの管理者等が任意のデータを上記付属装置へ入力させることもできる。
【００１２】
（２）第２の発明
第２の発明のコンテンツファイル配信システムは、コンテンツファイルが、可聴音である着信音として再生される音声ファイルであることを特徴とする。なお、着信音というのは、電話、メール、メッセージ等、再生装置外部からの着信（通知）を知らせることを主目的として再生される音である。
【００１３】
このようにコンテンツファイルが着信音であれば、再生装置において再生される頻度も一般的に高いと考えられ、付属装置にデータが入力される頻度も高まる。
（３）第３の発明
第３の発明のコンテンツファイル配信システムは、第１又は第２の発明のコンテンツファイル配信システムにおいて、付属装置の前記所定の処理が、付属装置に設けられた発光手段を、前記データに基づいて発光させる処理であることを特徴とする。なお、発光手段としては、例えば、ＬＥＤ、有機ＥＬ等、人が視認可能に発光するものであればどのようなものでもよい。
【００１４】
このように所定の処理が付属装置の発光手段を発光させるものであれば、コンテンツファイルの再生に応じて発光手段が発光するため、コンテンツファイルの再生を光によって再生装置のユーザは知ることができる。
【００１５】
（４）第４の発明
第４の発明のコンテンツファイル配信システムは、第３の発明のコンテンツファイル配信システムにおいて、コンテンツファイルには、データとしてＩＤが含まれており、付属装置は、発行手段の発光パターン情報とＩＤとが対応付けられた対応情報を記憶する記憶手段をさらに備える。そして、付属装置の処理実行手段は、データ取得手段により得られたデータに含まれるＩＤに対応する発光パターン情報を記憶手段が記憶する対応情報を参照して特定し、その特定した発光パターン情報に基づいて、発行手段を発光させる。
【００１６】
このようなコンテンツファイル配信システムによれば、相対的に情報量の少ないＩＤをコンテンツファイルに含めることにより、そのＩＤ自体が持つ情報以上に情報量の多い発光パターン情報に基づいて発光手段を複雑に発光させることができる。また、コンテンツファイルに含ませるＩＤをコンテンツファイル毎に変えることにより、再生されるコンテンツファイルによって発光パターンを変えることができるため、再生装置のユーザをより楽しませることができる。
【００１７】
（５）第５の発明
第５の発明のコンテンツファイル配信システムは、第１〜第４のいずれかの発明のコンテンツファイル配信システムにおいて、コンテンツファイルの再生時の再生音の先頭部分には、前記データを含む非可聴音は存在するが可聴音は存在しない期間が存在する。また、再生装置の出力端子には、再生装置に設けられたスピーカに音声信号に基づく再生音を出力させるか、出力端子に接続された装置に音声信号を出力させるかを切り替えるための入力を受け付ける切替受付手段が設けられている。そして、付属装置は、入力端子より入力された音声信号において前記期間が終了するとき又は前記期間が終了する前に、出力端子に接続された装置に音声信号を出力させる状態から、スピーカに音声信号に基づく再生音を出力させる状態に切り替えるように切替受付手段を切り替えさせる切替制御手段をさらに備える。
【００１８】
再生装置によっては、音声信号を出力端子より出力させることと、再生装置に設けられたスピーカからの音声を出力させることとが、切替受付手段が受け受けた入力によって択一的に切り替えられる仕様である場合がある。そして、コンテンツファイルは再生装置のスピーカから再生させたいが、付属装置にもデータを入力させたいという要望がありえる。
【００１９】
このような場合、上記第５の発明のコンテンツファイルシステムのような構成になっていれば、再生装置のユーザに聞こえる再生音の先頭を途切れさせることなく、再生装置のスピーカから再生させながら付属装置にもデータを入力させたいという要望を実現することができる。
【００２０】
（６）第６の発明
第６の発明の付属装置は、第１〜第５のいずれかの発明のコンテンツファイル配信システムにおける付属装置の前記各手段を備えることを特徴とする付属装置である。
【００２１】
このような付属装置であれば、上述したサーバ及び再生装置と組み合わせることにより、上述した効果を奏する。
（７）第７の発明
第７の発明のサーバは、第１〜第５のいずれか発明のコンテンツファイル配信システムにおけるサーバの前記各手段を備えることを特徴とするサーバである。
【００２２】
このようなサーバであれば、上述した再生装置及び付属装置と組み合わせることにより、上述した効果を奏する。
【図面の簡単な説明】
【００２３】
【図１】コンテンツファイル配信システムの全体構成を説明するためのブロック図である。
【図２】付属装置の構成を説明するためのブロック図である。
【図３】コンテンツファイルが配信される様子を説明するためのラダーチャートである。
【図４】コンテンツファイルが配信される様子を説明するためのラダーチャートである。
【図５】コンテンツファイルにおける非可聴音と可聴音の時間的な構成を説明するための説明図である。
【図６】メール等の着信時の動作タイミングチャートである。
【発明を実施するための形態】
【００２４】
以下、本発明が適用された実施形態について図面を用いて説明する。なお、本発明は、下記の実施形態によって何ら限定して解釈されない。また、下記の実施形態の構成の一部を、課題を解決できる限りにおいて省略した態様も本発明の実施形態である。また、下記の複数の実施形態を適宜組み合わせて構成される態様も本発明の実施形態である。また、特許請求の範囲に記載した文言のみによって特定される発明の本質を逸脱しない限度において考え得るあらゆる態様も本発明の実施形態である。
【００２５】
［構成の説明］
図１を用い、本発明の実施形態の全体構成を説明する。コンテンツファイル配信システム３は、サーバ１１と、複数のスマートフォン２１と、各スマートフォン２１に接続された付属装置３１とを備える。なお、サーバ１１と各スマートフォン２１とは、広域ネットワーク５１を介して通信可能である。
【００２６】
（１）サーバ１１
サーバ１１は、制御部１２と、記憶部１３と、通信部１４とを備える。
制御部１２は、サーバ全体の動作を司る機能を有する部位であり、記憶部１３よりプログラムを読み出してそのプログラムに基づいて各種処理を実行する。
【００２７】
記憶部１３は、ハードディスク、ＳＳＤ等のデータ記憶機能を有する部位であり、制御部１２が読み出して実行するプログラム及びスマートフォン２１で再生されるためのコンテンツファイルを記憶する。なお、本実施形態では、コンテンツファイルとして着信音ファイルを例に取り上げて説明するが、音楽ファイル、動画ファイル等、音声を含むファイルであればどのようなものであってもよい。また、音声というのは、人の声だけであってもよいし、人の声の含まれない音だけであってもよい。
【００２８】
通信部１４は、広域ネットワーク５１を介して各スマートフォン２１と通信を行うことができる。
（２）スマートフォン２１
スマートフォン２１は、マイクロコンピュータ２２と、記憶部２３と、無線通信部２４と、コネクタ端子２５と、タッチパネル２６と、マイク２７と、スピーカ２８とを備える。
【００２９】
マイクロコンピュータ２２は、プロセッサ（汎用プロセッサ、グラフィックプロセッサ、下記で説明する無線通信を実現するプロセッサ等）、ＤＲＡＭ等のメモリ、通信インターフェース等を備え、記憶部２３に記憶されたプログラム（オペレーティングシステム、アプリケーション等）を読み込んで各種の処理を実行する。
【００３０】
記憶部２３は、フラッシュメモリ等の不揮発性のメモリからなり、各種のプログラムやデータを記憶することができる。
無線通信部２４は、ＧＳＭ（登録商標）規格に基づく通信、ＬＴＥ規格に基づく通信、無線ＬＡＮ規格に基づく通信、Ｂｌｕｅｔｏｏｔｈ（登録商標）規格に基づく通信等を実現する部位である。
【００３１】
コネクタ端子２５は、付属装置３１と接続されて音声信号を出力可能な端子である。音声信号は、アナログ音声信号を想定するが、ストリーム形式のデジタル音声信号であってもよい。また、コネクタ端子２５は、音声信号を出力するためのピンのみを備えた端子であってもよいが、本実施形態では、付属装置３１へ電力を供給するための電力出力ピン、及び、音声信号をスピーカ２８に出力するかコネクタ端子２５を介して付属装置３１へ出力するかを付属装置３１側より指定して切り替えることが可能な制御ピンを備える。なお、音声信号を出力するためのピンとしては、左音声用のピンと右音声用のピンとが存在する。
【００３２】
タッチパネル２６は、液晶ディスプレイ、有機ＥＬディスプレイ等の表示部と、静電容量式等の方式による操作認識部とからなる。このため、タッチパネル２６は、テキストや画像等を表示することができ、その表示面に対する指の操作を検知することができる。なお、指の操作は、なぞり操作や複数指による操作も検知することができる。
【００３３】
マイク２７は、音声を電気信号に変換してマイクロコンピュータ２２に出力することができる。
スピーカ２８は、電気信号を音声に変換して周囲の空間に出力することができる。
【００３４】
（３）付属装置３１
図２に示すように、付属装置３１は、コネクタ端子３２と、音声信号増幅アンプ３３と、電源回路３４と、マイクロコンピュータ３５と、ＬＥＤ４１ａ，４１ｂ，４１ｃ，４１ｄ，４１ｅ（以下、単に「ＬＥＤ４１」と記載して説明する。）とを備える。
【００３５】
コネクタ端子３２は、音声信号を入力するためのピン（左音声用のピン及び右音声用のピン）、電力入力ピン、及び、音声信号をスマートフォン２１のスピーカ２８に出力させるかコネクタ端子２５を介して付属装置３１へ出力させるかを指定して切り替えるための制御ピンを備える。
【００３６】
音声信号増幅アンプ３３は、コネクタ端子３２を介してスマートフォン２１より入力された音声信号を増幅するためのアンプである。なお、増幅する周波数領域は、非可聴音が含まれる領域を中心に増幅するものであるとよい。
【００３７】
電源回路３４は、コネクタ端子３２を介してスマートフォン２１より供給された電力の電圧を整え、音声信号増幅アンプ３３及びマイクロコンピュータ３５へ分配するための回路である。
【００３８】
マイクロコンピュータ３５は、制御部３６と、記憶部３７と、解析部３８と、タイマ３９とを備える。
制御部３６は、ＣＰＵ、ＲＡＭ等を備え、記憶部３７に記憶されたプログラムに基づいて各種処理を実行する。
【００３９】
記憶部３７は、フラッシュメモリ等の不揮発性のメモリからなり、下記で説明する処理を実行するためのプログラム及びＬＥＤ４１の発光パターンデータを記憶する。なお、発光パターンデータは複数種類記憶されており、各発光パターンデータにはＩＤが対応付けられている。このため、ＩＤから発光パターンデータを特定することができる。
【００４０】
解析部３８は、音声信号増幅アンプ３３より入力した音声信号の非可聴音部分に含まれるＩＤを検出する処理（復号化して取り出す処理）を行う部位である。非可聴音というのは、人に聞きづらい音を意味し、例えば、２０ＫＨｚ以上の周波数の音や、音声透かし（電子透かし）と呼ばれる技術に基づく音を意味する。
【００４１】
タイマ３９は、制御部３６が実行する処理ステップのタイミングを図るためのタイマであり、制御部３６はタイマ３９の値を参照することにより、適切なタイミングで処理ステップを実行することができる。
【００４２】
ＬＥＤ４１は、可視光を出力可能なＬＥＤであり、単色の光のみを出力できるものであってもよいし、マイクロコンピュータ３５からの制御に基づいて発光色を変更できるものであってもよい。なお、ＬＥＤ４１は、それぞれのＬＥＤが独立して発光する。
【００４３】
［動作の説明］
（１）動作例１
次に、コンテンツファイル配信システム３の動作例１を、図３のラダーチャートを用いて説明する。動作例１では、着信音ファイルがサーバ１１より第二のスマートフォン２１に受信されてメッセージ受信時の着信音として設定された後、第二のスマートフォン２１よりメッセージが受信されて着信音フィルが再生される場合について説明する。
【００４４】
第二のスマートフォン２１のマイクロコンピュータ２２は、ユーザによってタッチパネル２６が操作されて、着信音ファイルをサーバ１１からダウンロードする旨の指令を受け付けると、ユーザより指定された着信音ファイルを、無線通信部２４を介してサーバ１１へ要求する（Ｓ１０５）。
【００４５】
当該要求を受けたサーバ１１の制御部１２は、要求された着信音ファイルを記憶部１３から読み出し、通信部１４を介して第二のスマートフォン２１へ送信する（Ｓ１１０）。
第二のスマートフォン２１のマイクロコンピュータ２２は、サーバ１１より送信された着信音ファイルを受信すると、記憶部２３に記憶させる（Ｓ１１５）。
【００４６】
続いて、第二のスマートフォン２１のマイクロコンピュータ２２は、ユーザによってタッチパネル２６が操作されて、着信音ファイルをメッセージ（例えば、ＳＭＳのメッセージ）の着信音として設定する旨の指令を受け付けると、Ｓ１１５で受信して記憶させた着信音ファイルを、メッセージの着信時に再生されるファイルとして設定する（Ｓ１２０）。具体的には、記憶部２３に記憶されている設定ファイルに、メッセージの着信時に再生されるファイル名称を、Ｓ１１５で受信して記憶させた着信音ファイルのファイル名称に書き換えることによって行う。
【００４７】
続いて、第一のスマートフォン２１から第二のスマートフォン２１に対してメッセージが送信されたとする（Ｓ１２５）。メッセージを受信した第二のスマートフォン２１のマイクロコンピュータ２２は、メッセージを受信して記憶部２３に記憶させるとともに（Ｓ１３０）、設定されている着信音ファイル、すなわち、Ｓ１２０で設定された着信音ファイルの再生を開始する（Ｓ１３５）。なお、第二のスマートフォン２１において着信音ファイルの再生が開始されると、それと同時に、第二のスマートフォン２１のコネクタ端子２５から音声信号（再生された着信音ファイル音声信号）の出力が開始される。
【００４８】
この音声信号は、第二のスマートフォン２１のコネクタ端子２５に接続された付属装置３１に入力される。付属装置３１では、音声信号増幅アンプ３３が音声信号を増幅し、マイクロコンピュータ３５の解析部３８が、音声信号増幅アンプ３３により増幅された音声信号を入力して音声信号の非可聴音部分に含まれるＩＤを検出する。ＩＤの検出に成功すると、マイクロコンピュータ３５の制御部３６が、ＩＤに対応する発光パターンを記憶部３７に記憶されている複数の発光パターンの中から一つを特定する。そして、制御部３６は、特定した発光パターンによってＬＥＤ４１が適切なタイミングで発光するようにタイマ３９の値を参照しながらＬＥＤ４１への出力電圧とタイミングを制御する。
【００４９】
（２）動作例２
次に、コンテンツファイル配信システム３の動作例２を、図４のラダーチャートを用いて説明する。動作例２では、着信音ファイルがサーバ１１より送信された第一のスマートフォン２１で受信されて記憶された後、着信音ファイルがメッセージに添付されて第一のスマートフォン２１から第二のスマートフォン２１へ送信されて第二のスマートフォン２１で着信音フィルが再生される場合について説明する。
【００５０】
第一のスマートフォン２１のマイクロコンピュータ２２は、ユーザによってタッチパネル２６が操作されて、着信音ファイルをサーバ１１からダウンロードする旨の指令を受け付けると、ユーザより指定された着信音ファイルを、無線通信部２４を介してサーバ１１へ要求する（Ｓ２０５）。
【００５１】
当該要求を受けたサーバ１１の制御部１２は、要求された着信音ファイルを記憶部１３から読み出し、通信部１４を介して第一のスマートフォン２１へ送信する（Ｓ２１０）。
第一のスマートフォン２１のマイクロコンピュータ２２は、サーバ１１より送信された着信音ファイルを受信すると、記憶部２３に記憶させる（Ｓ２１５）。
【００５２】
続いて、第一のスマートフォン２１のマイクロコンピュータ２２は、ユーザによってタッチパネル２６が操作されて、サーバ１１より受信した着信音ファイルをメッセージ（例えば、メッセージ交換アプリケーションにおいてユーザ間で交換するメッセージ）に添付して第２のスマートフォン２１へ送信する旨の指令を受け付けると、ユーザによって入力されたメッセージに対して指定された着信音ファイルを添付してサーバ１１へ送信する（Ｓ２２０）。
【００５３】
着信音ファイルが添付されたメッセージを受信したサーバ１１の制御部１２は、そのメッセージの宛先情報を参照してその宛先へ転送する（Ｓ２２５）。本例では、第２のスマートフォン２１へ転送する。
【００５４】
サーバ１１から着信音ファイルが添付されたメッセージを受信した第二のスマートフォン２１のマイクロコンピュータ２２は、メッセージを受信して記憶部２３に記憶させるとともに（Ｓ２３０）、添付されていた着信音ファイルの再生を開始する（Ｓ２３５）。なお、第二のスマートフォン２１において着信音ファイルの再生が開始されると、それと同時に、第二のスマートフォン２１のコネクタ端子２５から音声信号（再生された着信音ファイル音声信号）の出力が開始される。
【００５５】
この音声信号は、第二のスマートフォン２１のコネクタ端子２５に接続された付属装置３１に入力される。付属装置３１では、上述した動作例１の場合と同様の動作を行ってＬＥＤ４１を発光させる。
【００５６】
（３）着信音ファイルの構成
次に、着信音ファイルにおける非可聴音と可聴音の構成について、図５（Ａ）ないし図５（Ｅ）の構成図を用いて一例を説明する。
【００５７】
図５（Ａ）は、左音声も右音声も、着信音の開始時から終了時まで非可聴音と可聴音とが混在している場合の着信音ファイルの例である。なお、このような非可聴音と可聴音とが混在している場合でも、音声透かしなどの技術を用い、非可聴音の存在によって可聴音の聞こえ具合に影響はないようにする。
【００５８】
図５（Ｂ）は、左音声は、着信音の開始時から終了時まで非可聴音と可聴音とが混在しているが、右音声は、着信音の開始時から終了時まで可聴音（通常の楽曲等の音であり符号化されたＩＤを含まない音）から構成されている場合の着信音ファイルの例である。
【００５９】
図５（Ｃ）は、モノラル音声であり、着信音の開始時から一定時間（例えば数秒間）、非可聴音があり、それ以降は可聴音（通常の楽曲等の音であり符号化されたＩＤを含まない音）がある着信音ファイルの例である。
【００６０】
図５（Ｄ）は、左音声は、着信音の開始時から一定時間、非可聴音があるがそれ以降は無音であり、右音声は、着信音の開始時から一定時間は無音であるが、それ以降は可聴音（通常の楽曲等の音であり符号化されたＩＤを含まない音）がある着信音ファイルの例である。
【００６１】
図５（Ｅ）は、左音声は、着信音の開始時から終了時まで非可聴音があり、右音声は、着信音の開始時から一定時間は無音であるが、それ以降は可聴音（通常の楽曲等の音であり符号化されたＩＤを含まない音）がある着信音ファイルの例である。
【００６２】
いずれの例も、着信音の開始時から非可聴音が再生されることが確認できる。
（４）着信時の動作タイミング
次に、スマートフォン２１に着信があり、着信音ファイルの再生が開始される前後における、スマートフォン２１及び付属装置３１の動作タイミングについて、図６のタイミングチャートを用いて説明する。なお、図６（Ａ）及び図６（Ｂ）は、図５（Ｄ）の構成を有する着信音ファイルが用いられ、図６（Ｃ）は、図５（Ａ）の構成を有する着信音ファイルが用いられるとする。
【００６３】
（４−１）非スリープ時に着信があった場合
図６（Ａ）は、スマートフォン２１の非スリープ状態のとき（通常動作時）に着信があった場合の動作例である。
【００６４】
電力ピンのラインは、非スリープ状態のとき（通常動作時）には、５Ｖになっており、スマートフォン２１から付属装置３１へ電力が供給されており、着信の前後で変化はない。
【００６５】
また、制御ピンのラインは、当初よりオン状態（音声信号はコネクタ端子２５から出力される状態）になっている。そして、付属装置３１の制御部３６は、着信音ファイルの左音声に含まれる非可聴音の部分が終わったこと、又は、非可聴音中に終了コードが含まれていたこと等を確認すると、制御ピンのラインをオフ状態に切り替える。すると、それを受けて直ちにスマートフォン２１のマイクロコンピュータ２２が、音声信号の出力先をコネクタ端子２５からスピーカ２８に切り替える。
【００６６】
また、付属装置３１の制御部３６は、制御ピンの切り替えを行うとともに、検出されたＩＤに基づく発光パターンによりＬＥＤ４１の発光を開始する。
その結果、着信音ファイルの可聴音部分は、先頭部分が欠けることなく、スマートフォン２１のスピーカ２８から出力される。また、可聴音部分の再生の開始と、ＬＥＤ４１の発光開始とが同期する。
【００６７】
（４−２）スリープ時に着信があった場合
図６（Ｂ）は、スマートフォン２１のスリープ状態のとき（省エネ動作時）に着信があった場合の動作例である。スリープ時には、電力ピンのラインは０Ｖになっており、スマートフォン２１から付属装置３１への電力供給は絶たれている。そして、着信すると直ちにスリープ状態から非スリープ状態に変わり、それからわずかなタイムラグを経て電力ピンのラインは５Ｖになり、スマートフォン２１から付属装置３１へ電力供給が開始される。これにより、付属装置３１は動作可能になる。
【００６８】
また、制御ピンのラインは、スリープ時にはオフ状態（音声信号はスマートフォン２１のスピーカ２８から出力される状態）になっているが、スマートフォン２１から付属装置３１へ電力供給が開始されて付属装置３１が動作可能になると、付属装置３１の制御部３６は、制御ピンのラインをオフ状態からオン状態に切り替える。すると、これから若干遅れてスマートフォン２１のマイクロコンピュータ２２が、音声信号の出力先をスピーカ２８からコネクタ端子２５へ切り替える。これによって付属装置３１は、音声信号の入力を受け、非可聴音部分に含まれるＩＤの検出を行うことが可能になる。付属装置３１の制御部３６は、着信音ファイルの左音声に含まれる非可聴音の部分が終わったこと、又は、非可聴音中に終了コードが含まれていたこと等を確認すると、制御ピンのラインをオフ状態に戻す。すると、それを受けて直ちにスマートフォン２１のマイクロコンピュータ２２が、音声信号の出力先をコネクタ端子２５からスピーカ２８に切り替える。
【００６９】
また、付属装置３１の制御部３６は、制御ピンの切り替えを行うとともに、検出されたＩＤに基づく発光パターンによりＬＥＤ４１の発光を開始する。
その結果、着信音ファイルの可聴音部分は、先頭部分が欠けることなく、スマートフォン２１のスピーカ２８から出力される。また、可聴音部分の再生の開始と、ＬＥＤ４１の発光開始とが同期する。
【００７０】
（４−３）着信音の先頭から可聴音が入っている場合
図６（Ｃ）は、スマートフォン２１のスリープ状態のとき（省エネ動作時）に着信があった場合で、かつ、着信音ファイルの先頭部分から可聴音がある場合の動作例である。上述したように、スリープ状態から非スリープ状態（通常動作状態）に復帰する場合のスマートフォン２１と付属装置３１の動作は、上記（４−２）で説明したとおりである。図６（Ｃ）の場合は、着信してから、制御ピンがオフ状態からオン状態になって音声信号の出力先がスピーカ２８からコネクタ端子２５へ切り替わる前に、着信音ファイルの再生が開始されて可聴音がスピーカ２８から出力されてしまう。そして、着信ファイルの音声信号に含まれるＩＤを検知するために、制御ピンがオフ状態からオン状態に切り替えられると、スピーカ２８からの可聴音の出力が一旦停止される。そして、その後、制御ピンがオン状態からオフ状態に切り替えられ、再びスピーカ２８から可聴音の出力が開始される。
【００７１】
すなわち、着信音ファイルの再生中に再生音の一部が欠けてユーザに聞こえるため、ユーザは違和感を覚えることになる。特に、スリープ状態から通常動作状態への復帰に際して、種々のプログラムがスマートフォン２１のマイクロコンピュータ２２で動作するため、マイクロコンピュータ２２の動作負荷が高まり、制御ピンの状態が切り替わってから音声信号の出力先が切り替わるまでに時間を要する場合があり、その場合は着信音ファイルの先頭部分の再生が始まり一部が欠けてしまう可能性が高まる。
【００７２】
したがって、図５（Ｃ）−（Ｅ）で挙げたような構成、すなわち、着信音ファイルの先頭に可聴音が含まれない部分がある構成であると好ましい。
［実施形態の効果］
上記実施形態のコンテンツファイル配信システム３によれば、スマートフォン２１のユーザにとって良好な音の再生が行われる着信音ファイルが配信されながら、スマートフォン２１のコネクタ端子２５に接続された付属装置３１へ、当該付属装置３１をターゲットとしたデータ（発光パターンを特定可能なＩＤ）を入力させることができる。しかも、スマートフォン２１及び付属装置３１に、付属装置３１へデータを入力させるための端子を別途に設ける必要もない。
【００７３】
なお、着信音ファイルはサーバ１１から送信されたものであるため、サーバ１１の管理者等が任意のデータを付属装置３１へ入力させることもできる。また、付属装置３１はＬＥＤ４１を備えており、ＬＥＤ４１が着信時に発光パターンに基づいて発光するため、スマートフォン２１は、発光から着信を知ることもできる。また、付属装置３１は、複数種類の発光パターンによって発光することができ、それが着信ファイルの非可聴音部分に含まれるＩＤによって特定される。このため、多様な発光の演出が可能であり、しかも、発光パターン自体を示す情報ではなくＩＤによって特定されるため、複雑な発光パターンで発光させることも容易に実現できる。
【００７４】
また、スマートフォン２１のコネクタ端子２５には、スマートフォン２１に設けられたスピーカ２８に音声信号に基づく再生音を出力させるか、コネクタ端子２５に接続された付属装置３１に音声信号を出力させるかを切り替えるための入力を受け付ける制御ピンが存在する。そして、図５（Ｃ）−（Ｅ）で挙げたような着信音ファイル（先頭に可聴音部分が含まれない部分がある構成の着信音ファイル）を使用するようにし、付属装置３１は、可聴音部分の再生が開始される前に制御ピンの状態を切り替えて、スピーカ２８より音声信号に基づく再生音を出力させるようにする。このため、スマートフォン２１のユーザに聞こえる再生音の先頭を途切れさせることなく、スピーカ２８から再生させながら付属装置３１にもＩＤを入力させてそのＩＤに基づく発光パターンでＬＥＤ４１を発光させることができる。
【００７５】
［他の実施形態］
（１）上記実施形態では、コンテンツファイルの一例として着信音ファイルを例に挙げて説明したが、これに限らない。例えば、メール開封音ファイル、メール閲覧ＢＧＭファイル等でも良いし、着信時、メール開封時、メール閲覧時等に再生される音声付き動画ファイルでもよい。
【００７６】
（２）上記実施形態では、着信音ファイルに含まれるＩＤに基づいて発光パターンが特定され、その特定された発光パターンでＬＥＤ４１が発光されるようになっていたが、着信音ファイルに発光パターンの情報自体を含むようにしてもよい。その場合は、付属装置３１は、着信音ファイルの非可聴音の部分に含まれる発光パターンを検出し、その検出した発光パターンによってＬＥＤ４１を発光させるようになっていればよい。
【００７７】
（３）上記実施形態では、着信ファイルに可聴音が含まれているものを例に挙げて説明したが、ＩＤを含む非可聴音は含まれているが可聴音は含まれていない着信ファイルを構成して用いてもよい。
【００７８】
（４）上記実施形態では、サーバ１１は１つの筐体からなるものを想定して説明したが、ネットワークで接続された複数台のサーバ（コンピュータ）によって実現されていてもよい。
【００７９】
［特許請求の範囲との対応］
上記実施形態の説明で用いた用語と、特許請求の範囲に記載した用語との対応を示す。
サーバ１１の記憶部がサーバの記憶手段の一例であり、サーバ１１の通信部１４がサーバの送信手段の一例である。
【００８０】
スマートフォン２１の無線通信部２４が再生装置の受信手段の一例であり、スマートフォン２１のマイクロコンピュータ２２が再生装置の再生手段の一例であり、スマートフォン２１のコネクタ端子２５が再生装置の出力端子の一例であり、スマートフォン２１の制御ピンが切替受付手段の一例である。
【００８１】
付属装置３１のコネクタ端子３２が、入力端子の一例であり、付属装置３１の解析部３８がデータ取得手段の一例であり、付属装置３１の制御部３６が処理実行手段及び切替制御手段の一例であり、付属装置３１の記憶部３７が記憶手段の一例である。
【符号の説明】
【００８２】
３…コンテンツファイル配信システム、１１…サーバ、１２…制御部、１３…記憶部、１４…通信部、２１…スマートフォン、２２…マイクロコンピュータ、２３…記憶部、２４…無線通信部、２５…コネクタ端子、２６…タッチパネル、２７…マイク、２８…スピーカ、３１…付属装置、３２…コネクタ端子、３３…音声信号増幅アンプ、３４…電源回路、３５…マイクロコンピュータ、３６…制御部、３７…記憶部、３８…解析部、３９…タイマ、４１，４１ａ，４１ｂ，４１ｃ，４１ｄ，４１ｅ…ＬＥＤ、５１…広域ネットワーク。
【図１】
2014102623.tif 000003
【図２】
2014102623.tif 000004
【図３】
2014102623.tif 000005
【図４】
2014102623.tif 000006
【図５】
2014102623.tif 000007
【図６】
2014102623.tif 000008